(57)【要約】【課題】現金の取り間違いの可能性を低減でき、その上で、窓口操作員への負担を低減でき、管理コストの増大を抑制する。【解決手段】左右２名の窓口操作員Ａ，Ｂのそれぞれの手首に装着されるとともに、装着部材識別情報を記憶する装着部材７１Ａ，７１Ｂと、２台の窓口操作機１１Ａ，１１Ｂのうちの一方からの出金指示に基づいて現金処理機１２が出金処理を行う際に、当該出金指示を出力した窓口操作機と対応する一方の窓口操作員に通知手段７１Ａ，７１Ｂにより出金貨幣の受け取り推進を通知するとともに、当該出金指示を出力した窓口操作機の操作機識別情報と、判別手段８２，８４が判別した装着部材識別情報とが対応する場合に、出金部４５，６５から現金を取り出し可能とする制御手段とを有する。【選択図】図１
2016009294.tif 000002
【特許請求の範囲】
【請求項１】
左右２名の窓口操作員に対して設けられた左右２台の窓口操作機と、これら左右２台の窓口操作機に接続され前記左右２名の窓口操作員で１台が共用される現金処理機とを有する現金処理システムであって、
前記左右２名の窓口操作員のそれぞれに対して出金貨幣の受け取り推進を通知可能な通知手段と、
前記左右２名の窓口操作員のそれぞれの手首に装着されるとともに、装着部材識別情報を記憶する装着部材と、
前記現金処理機に設けられ前記装着部材と通信することにより前記現金処理機の出金部から出金貨幣を取り出そうとしている窓口操作員に装着された出金アクセス装着部材の装着部材識別情報を判別する判別手段と、
前記２台の窓口操作機のうちの一方からの出金指示に基づいて前記現金処理機が出金処理を行う際に、当該出金指示を出力した窓口操作機と対応する一方の窓口操作員に前記通知手段により出金貨幣の受け取り推進を通知するとともに、当該出金指示を出力した窓口操作機の操作機識別情報と、前記判別手段が判別した前記出金アクセス装着部材の装着部材識別情報とが対応する場合に、前記出金部から現金を取り出し可能とする制御手段と、
を有することを特徴とする現金処理システム。
【請求項２】
前記通知手段は、前記装着部材に設けられていることを特徴とする請求項１記載の現金処理システム。
【請求項３】
前記判別手段は、前記装着部材との距離が所定値以内になると当該装着部材に記憶された装着部材識別情報を前記出金アクセス装着部材の装着部材識別情報とすることを特徴とする請求項１または２記載の現金処理システム。
【請求項４】
前記制御手段は、前記２台の窓口操作機のうちの一方からの出金指示に基づいて前記現金処理機が出金処理を行う際に、前記判別手段が、当該出金指示を出力した窓口操作機の操作機識別情報と対応しない装着部材識別情報を、前記出金アクセス装着部材の装着部材識別情報と判別した場合に、警報手段により警報を発生させることを特徴とする請求項１から３のいずれか一項記載の現金処理システム。
【請求項５】
前記制御手段は、前記２台の窓口操作機のうちの一方からの出金指示に基づいて前記現金処理機が出金処理を行う際に、所定時間内に、前記判別手段が、当該出金指示を出力した窓口操作機の操作機識別情報と対応する装着部材識別情報を、前記出金アクセス装着部材の装着部材識別情報と判別できない場合に、警報手段により警報を発生させることを特徴とする請求項１から４のいずれか一項記載の現金処理システム。
【請求項６】
前記制御手段は、前記判別手段が、少なくともいずれか一方の前記装着部材と所定時間継続して通信不可である場合に、警報手段により警報を発生させることを特徴とする請求項１から５のいずれか一項記載の現金処理システム。
【請求項７】
前記判別手段は、前記装着部材と通信することにより前記現金処理機の入金部へ入金貨幣を投入しようとしている窓口操作員に装着された入金アクセス装着部材の装着部材識別情報を判別し、
前記制御手段は、前記２台の窓口操作機のうちの一方からの入金指示に基づいて前記現金処理機が入金処理を行う際に、当該入金指示を出力した窓口操作機と対応する一方の窓口操作員に前記通知手段により入金貨幣の投入推進を通知するとともに、当該入金指示を出力した窓口操作機の操作機識別情報と、前記判別手段が判別した前記入金アクセス装着部材の装着部材識別情報とが対応する場合に、前記入金部へ現金を投入可能とすることを特徴とする請求項１から６のいずれか一項記載の現金処理システム。
【発明の詳細な説明】
【技術分野】
【０００１】
本発明は、１台の現金処理機を左右の窓口操作員で共用する現金処理システムに関する。
【背景技術】
【０００２】
銀行等の金融機関の窓口において、左右２名の窓口操作員（テラー）に対して個別に設けられた左右２台の窓口操作機と、これら左右２台の窓口操作機に接続され左右２名の窓口操作員で１台が共用される、現金出金機もしくは現金入出金機からなる現金処理機とを有する現金処理システムがある。このような現金処理システムでは、左右２名の窓口操作員で１台の現金処理機を共用することから、特に現金を出金する際の、左右２名の窓口操作員による相互の取り間違いを防止する必要がある。
【０００３】
このような取り間違いの防止策として、現金処理機の出金口の左右両側に、突出及び退避自在に設けられた案内指示板を付加し、これら案内指示板の突出もしくは退避状態を窓口操作員に目視確認させることで、出金口の現金の所有権の有無を案内する技術や、各窓口操作員に対応して設けられたランプを点灯または消灯させることで、出金口の現金の所有権の有無を案内する技術あるいは、ブザーを鳴動させる技術等がある。
【０００４】
しかしながら、案内指示板は、構造上それほど大きな部材にはできないことから、取り間違いの防止策として十分ではなく、また、ランプに関しても、窓口操作員が顧客と応対中である場合等に目視せずに現金を取り出してしまう可能性があって、やはり、取り間違いの防止策として十分ではなかった。さらに、ブザーに至っては、騒音に感じるとの理由で使用されていないのが実情である。これらの理由から、特に窓口業務が煩雑な状況下において、左右２名の窓口操作員による相互の現金の取り間違いを生じる可能性があった。
【０００５】
これに対し、人体の特徴から窓口操作員を識別する生体認証装置を用いて、出金口の現金の所有権の有無をチェックする現金処理システムがある（例えば、特許文献１参照）。この現金処理システムであれば、現金の取り間違いの可能性を低減することができる。
【先行技術文献】
【特許文献】
【０００６】
【特許文献１】特開２０１０−２６７６１号公報
【発明の概要】
【発明が解決しようとする課題】
【０００７】
生体認証装置を用いるものは、現金の取り間違いの可能性を低減できるものの、システム成立のために窓口操作員一人一人の生体認証データを取得する必要があり、窓口操作員への負担が大きい。また、取得した生体認証データを不正使用されないように厳格に管理する必要があって、管理コストが増大してしまう。
【０００８】
したがって、本発明は、現金の取り間違いの可能性を低減でき、その上で、窓口操作員への負担を低減でき、管理コストの増大を抑制することができる現金処理システムの提供を目的とする。
【課題を解決するための手段】
【０００９】
上記目的を達成するために、請求項１に係る発明は、左右２名の窓口操作員に対して設けられた左右２台の窓口操作機と、これら左右２台の窓口操作機に接続され前記左右２名の窓口操作員で１台が共用される現金処理機とを有する現金処理システムであって、前記左右２名の窓口操作員のそれぞれに対して出金貨幣の受け取り推進を通知可能な通知手段と、前記左右２名の窓口操作員のそれぞれの手首に装着されるとともに、装着部材識別情報を記憶する装着部材と、前記現金処理機に設けられ前記装着部材と通信することにより前記現金処理機の出金部から出金貨幣を取り出そうとしている窓口操作員に装着された出金アクセス装着部材の装着部材識別情報を判別する判別手段と、前記２台の窓口操作機のうちの一方からの出金指示に基づいて前記現金処理機が出金処理を行う際に、当該出金指示を出力した窓口操作機と対応する一方の窓口操作員に前記通知手段により出金貨幣の受け取り推進を通知するとともに、当該出金指示を出力した窓口操作機の操作機識別情報と、前記判別手段が判別した前記出金アクセス装着部材の装着部材識別情報とが対応する場合に、前記出金部から現金を取り出し可能とする制御手段と、を有することを特徴とする。
【００１０】
請求項２に係る発明は、請求項１に係る発明において、前記通知手段は、前記装着部材に設けられていることを特徴とする。
【００１１】
請求項３に係る発明は、請求項１または２に係る発明において、前記判別手段は、前記装着部材との距離が所定値以内になると当該装着部材に記憶された装着部材識別情報を前記出金アクセス装着部材の装着部材識別情報とすることを特徴とする。
【００１２】
請求項４に係る発明は、請求項１から３のいずれか一項に係る発明において、前記制御手段は、前記２台の窓口操作機のうちの一方からの出金指示に基づいて前記現金処理機が出金処理を行う際に、前記判別手段が、当該出金指示を出力した窓口操作機の操作機識別情報と対応しない装着部材識別情報を、前記出金アクセス装着部材の装着部材識別情報と判別した場合に、警報手段により警報を発生させることを特徴とする。
【００１３】
請求項５に係る発明は、請求項１から４のいずれか一項に係る発明において、前記制御手段は、前記２台の窓口操作機のうちの一方からの出金指示に基づいて前記現金処理機が出金処理を行う際に、所定時間内に、前記判別手段が、当該出金指示を出力した窓口操作機の操作機識別情報と対応する装着部材識別情報を、前記出金アクセス装着部材の装着部材識別情報と判別できない場合に、警報手段により警報を発生させることを特徴とする。
【００１４】
請求項６に係る発明は、請求項１から５のいずれか一項に係る発明において、前記制御手段は、前記判別手段が、少なくともいずれか一方の前記装着部材と所定時間継続して通信不可である場合に、警報手段により警報を発生させることを特徴とする。
【００１５】
請求項７に係る発明は、請求項１から６のいずれか一項に係る発明において、前記判別手段は、前記装着部材と通信することにより前記現金処理機の入金部へ入金貨幣を投入しようとしている窓口操作員に装着された入金アクセス装着部材の装着部材識別情報を判別し、前記制御手段は、前記２台の窓口操作機のうちの一方からの入金指示に基づいて前記現金処理機が入金処理を行う際に、当該入金指示を出力した窓口操作機と対応する一方の窓口操作員に前記通知手段により入金貨幣の投入推進を通知するとともに、当該入金指示を出力した窓口操作機の操作機識別情報と、前記判別手段が判別した前記入金アクセス装着部材の装着部材識別情報とが対応する場合に、前記入金部へ現金を投入可能とすることを特徴とする。
【発明の効果】
【００１６】
請求項１に係る発明によれば、２台の窓口操作機のうちの一方からの出金指示に基づいて現金処理機が出金処理を行うと、通知手段が、当該出金指示を出力した窓口操作機と対応する一方の窓口操作員に出金貨幣の受け取り推進を通知する。すると、基本的にはこの一方の窓口操作員が出金部から出金貨幣を取り出そうとして、出金部に手を伸ばし、その結果、この一方の窓口操作員の手首に装着された装着部材が出金部に近づくことになる。その際に、現金処理機に設けられた判別手段は、装着部材と通信することにより現金処理機の出金部から出金貨幣を取り出そうとしている窓口操作員に装着された出金アクセス装着部材の装着部材識別情報を判別し、制御手段は、出金指示を出力した窓口操作機の操作機識別情報と、判別手段が判別した出金アクセス装着部材の装着部材識別情報とが対応する場合に、出金部から現金を取り出し可能とする。これにより、左右２名の窓口操作員による出金部からの現金の取り間違いの可能性を低減することができる。生体認証装置を用いる必要がないため、窓口操作員への負担を低減でき、管理コストの増大を抑制することができる。
【００１７】
請求項２に係る発明によれば、窓口操作員の手首に装着される装着部材に通知手段が設けられているため、出金貨幣の受け取り推進の通知の窓口操作員による誤認の発生を抑制することができる。また、装着部材が装着部材識別情報を記憶する手段と通知手段とを兼用することになるため、コストを低減することができる。
【００１８】
請求項３に係る発明によれば、判別手段は、装着部材との距離が所定値以内になると当該装着部材に記憶された装着部材識別情報を出金アクセス装着部材の装着部材識別情報とすることから、出金アクセス装着部材の装着部材識別情報を簡単かつ良好に判別できる。
【００１９】
請求項４に係る発明によれば、制御手段は、判別手段が、出金指示を出力した窓口操作機の操作機識別情報と対応しない装着部材識別情報を、出金アクセス装着部材の装着部材識別情報と判別した場合に、警報手段により警報を発生させる。よって、出金指示を出力した窓口操作機と左右が一致しない他方の窓口操作員がアクセスしようとした場合に、間違いであることを報知できる。
【００２０】
請求項５に係る発明によれば、制御手段は、所定時間内に、判別手段が、出金指示を出力した窓口操作機の操作機識別情報と対応する装着部材識別情報を、出金アクセス装着部材の装着部材識別情報と判別できない場合に、警報手段により警報を発生させる。よって、出金貨幣の取り忘れを抑制できる。
【００２１】
請求項６に係る発明によれば、制御手段は、判別手段が、少なくともいずれか一方の装着部材と所定時間継続して通信不可である場合に、警報手段により警報を発生させるため、装着部材の有効性を確認できる。
【００２２】
請求項７に係る発明によれば、２台の窓口操作機のうちの一方からの入金指示に基づいて現金処理機が入金処理を行う際に、通知手段が、当該入金指示を出力した窓口操作機と対応する一方の窓口操作員に入金貨幣の投入推進を通知する。すると、基本的にはこの一方の窓口操作員が入金部に入金貨幣を投入しようとして、入金部に手を伸ばし、その結果、この一方の窓口操作員の手首に装着された装着部材が入金部に近づくことになる。その際に、現金処理機に設けられた判別手段は、装着部材と通信することにより現金処理機の入金部に入金貨幣を投入しようとしている入金アクセス装着部材の装着部材識別情報を判別し、制御手段は、入金指示を出力した窓口操作機の操作機識別情報と、判別手段が判別した入金アクセス装着部材の装着部材識別情報とが対応する場合に、入金部へ現金を投入可能とする。これにより、左右２名の窓口操作員による入金部への現金の投入間違いの可能性を低減することができる。生体認証装置を用いる必要がないため、窓口操作員への負担を低減でき、管理コストの増大を抑制することができる。
【図面の簡単な説明】
【００２３】
【図１】本発明に係る一実施形態の現金処理システムを示す正面図である。
【図２】本発明に係る一実施形態の現金処理システムの一部構成を示す制御系ブロック図である。
【図３】本発明に係る一実施形態の現金処理システムにおける現金処理機を示す斜視図である。
【図４】本発明に係る一実施形態の現金処理システムにおける現金処理機を示す部分拡大斜視図である。
【発明を実施するための形態】
【００２４】
本発明に係る一実施形態の現金処理システムを図面を参照して以下に説明する。本実施形態の現金処理システムは、金融機関の窓口に設置されて２名の窓口操作員（テラー）によって使用されるものである。なお、以下の左右は窓口操作員側から見た左右である。
【００２５】
本実施形態の現金処理システム１０は、図１に示すように、左右２名の窓口操作員Ａ，Ｂに対して設けられた左右２台の窓口操作機１１Ａ，１１Ｂと、これら左右２台の窓口操作機１１Ａ，１１Ｂにインターフェースを介して接続され左右２名の窓口操作員Ａ，Ｂで１台が共用される現金処理機１２とを有している。現金処理機１２は、窓口操作機１１Ａ，１１Ｂのいずれか一方によって占有されて使用されるもので、窓口操作機１１Ａに占有された状態では窓口操作機１１Ａ，１１Ｂのうちの窓口操作機１１Ａの指令のみを受け付ける状態となり、窓口操作機１１Ｂに占有された状態では窓口操作機１１Ａ，１１Ｂのうちの窓口操作機１１Ｂの指令のみを受け付ける状態になる。
【００２６】
左側の窓口操作員Ａ用の左側の窓口操作機１１Ａおよび右側の窓口操作員Ｂ用の右側の窓口操作機１１Ｂは、いずれもパーソナルコンピュータからなるもので、左側の窓口操作機１１Ａは、左側の窓口操作員Ａに対して設けられた左側のカウンタ１４Ａの上に設置され、右側の窓口操作機１１Ｂは、右側の窓口操作員Ｂに対して設けられた右側のカウンタ１４Ｂの上に設置される。窓口操作機１１Ａには、操作機識別情報として他の窓口操作機と識別するための個別の第１操作機識別情報が設定されており、窓口操作機１１Ｂには、操作機識別情報として他の窓口操作機と識別するための個別の第２操作機識別情報が設定されている。
【００２７】
これら窓口操作機１１Ａ，１１Ｂは、それぞれが、対応する窓口操作員により操作入力が行われるキーボード等からなる操作部１５と、対応する窓口操作員に対し表示を行う液晶モニタ等からなる表示部１６（通知手段，警報手段）と、操作部１５からの信号に基づいて、表示部１６の表示画面を制御し入金指示信号および出金指示信号等を現金処理機１２に送信する本体１７とを有している。本体１７は、図２に示すように、各部を制御する制御部１８を備えている。これら窓口操作機１１Ａ，１１Ｂは、他の図示略の窓口操作機とともに図示略の店舗内サーバ２０に接続されている。
【００２８】
図３に示すように、本実施形態の現金処理機１２には、左右２カ所の窓口操作部３１Ａ，３１Ｂと、機外から入金硬貨が投入される硬貨入金口３２とが上面に設けられている。左右２カ所の窓口操作部３１Ａ，３１Ｂは、左右２名の窓口操作員Ａ，Ｂに対して設けられたものである。
【００２９】
硬貨入金口３２には、その上部開口を閉塞する硬貨入金口シャッタ３３と、内部の硬貨の有無を検出する図２に示す入金口硬貨センサ３４とが設けられている。図３に示す硬貨入金口シャッタ３３は、閉状態が待機状態となっており、図２に示す硬貨入金口開閉駆動機構３５により駆動されて開閉する。図３に示す硬貨入金口３２および硬貨入金口シャッタ３３と、図２に示す入金口硬貨センサ３４および硬貨入金口開閉駆動機構３５とが、入金処理時に入金貨幣としての入金硬貨が投入される硬貨入金部３６（入金部）を構成している。
【００３０】
図３に示すように、現金処理機１２には、高さ方向の中央よりも上部側に機体の前面から後方に凹む凹部４１が設けられており、この凹部４１には受皿４２が挿入可能となっている。図示は略すが凹部４１の天井面には、凹部４１内に挿入された受皿４２内に出金硬貨を放出する硬貨放出口が設けられている。凹部４１には、受皿４２の挿入を検知する図２に示す受皿検知センサ４３と、挿入された受皿４２を取り出し不可にロックする図２に示す受皿ロック機構４４とが設けられている。受皿検知センサ４３により検知された状態にあれば、受皿４２は常に受皿ロック機構４４によるロックが可能となる。図３に示す凹部４１および受皿４２と、図２に示す受皿検知センサ４３および受皿ロック機構４４とが、出金処理時に出金貨幣としての出金硬貨が出金される硬貨出金部４５（出金部）を構成している。硬貨出金部４５は、受皿検知センサ４３が受皿４２を検知し受皿ロック機構４４が受皿４２をロックした状態が待機状態となっている。
【００３１】
図３に示すように、現金処理機１２は、その上面と凹部４１との間が、硬貨入金口３２および図示略の上記した硬貨放出口を含んで硬貨入出金装置部４８となっている。硬貨入出金装置部４８は、硬貨入金口３２に投入された入金硬貨を識別計数しつつ一時貯留し、一時貯留した入金硬貨を、窓口操作機１１Ａ，１１Ｂのうちの対応する一方の操作部１５へ確定操作が入力されることで収納する。また、硬貨入出金装置部４８は、窓口操作機１１Ａ，１１Ｂのうちの対応する一方の操作部１５へ入力された出金指示に基づき、受皿検知センサ４３で受皿４２の凹部４１への挿入を検知し且つ受皿ロック機構４４で受皿４２をロックした状態で、収納している硬貨を硬貨放出口から受皿４２内に繰り出し、その後、受皿ロック機構４４によるロックを解除する。これにより、受皿４２内の出金硬貨が取り出し可能となる。なお、凹部４１の高さは、受皿４２がロックされた状態では、受皿４２内の出金硬貨を取り出すことが不可能な高さに設定されている。
【００３２】
現金処理機１２には、凹部４１よりも下側に機体前方に突出する突出部５１が設けられており、この突出部５１の上面には、機体後側に、機外から入金紙幣が投入される紙幣入金口５２が設けられている。この紙幣入金口５２には、その上部開口を閉塞する紙幣入金口シャッタ５３と、内部の紙幣の有無を検出する図２に示す入金口紙幣センサ５４とが設けられている。図３に示す紙幣入金口シャッタ５３は、図２に示す紙幣入金口開閉駆動機構５５により駆動されて開閉することになり、待機状態では閉じられている。図３に示す紙幣入金口５２および紙幣入金口シャッタ５３と、図２に示す入金口紙幣センサ５４および紙幣入金口開閉駆動機構５５とが、入金処理時に入金貨幣としての入金紙幣が投入される紙幣入金部５６（入金部）を構成している。
【００３３】
突出部５１の上面には、紙幣入金口５２よりも機体前側に、機内から紙幣を出金させる紙幣出金口６１が設けられている。この紙幣出金口６１には、その上部開口を閉塞する紙幣出金口シャッタ６２と、内部の紙幣の有無を検出する図２に示す出金口紙幣センサ６３とが設けられている。図３に示す紙幣出金口シャッタ６２は、図２に示す紙幣出金口開閉駆動機構６４により駆動されて開閉することになり、待機状態では閉じられている。図３に示す紙幣出金口６１および紙幣出金口シャッタ６２と、図２に示す出金口紙幣センサ６３および紙幣出金口開閉駆動機構６４とが、出金処理時に出金貨幣としての出金紙幣が取り出される紙幣出金部６５（出金部）を構成している。
【００３４】
図３に示すように、現金処理機１２は、その突出部５１の位置に、紙幣入金口５２および紙幣出金口６１を含んで紙幣入出金装置部６８が設けられている。紙幣入出金装置部６８は、紙幣入金口５２に投入された入金紙幣を識別計数しつつ一時貯留し、一時貯留した入金紙幣を、窓口操作機１１Ａ，１１Ｂのうちの対応する一方の操作部１５へ確定操作が入力されることで収納する。また、紙幣入出金装置部６８は、窓口操作機１１Ａ，１１Ｂのうちの対応する一方の操作部１５へ入力された出金指示に基づき、紙幣出金口シャッタ６２が閉じられた状態で、収納している紙幣を紙幣出金口６１内に繰り出し、その後、紙幣出金口シャッタ６２を開く。これにより、紙幣出金口６１内の出金紙幣が取り出し可能となる。
【００３５】
図１に示すように、本実施形態において、現金処理システム１０は、左右２名の窓口操作員Ａ，Ｂのそれぞれの手首に対して着脱可能に設けられたブレスレット型の装着部材７１Ａ，７１Ｂを有している。窓口操作員Ａ用の装着部材７１Ａは、左側の窓口操作員Ａの右手首に装着され、窓口操作員Ｂ用の装着部材７１Ｂは、右側の窓口操作員Ｂの左手首に装着される。
【００３６】
装着部材７１Ａ，７１Ｂは、それぞれが、図４に装着部材７１Ａを例示するように、情報を記憶可能であって通信可能なＲＦＩＤインレット７２と、発光するランプ７３（通知手段，警報手段）と、振動するバイブレータ７４（通知手段，警報手段）と、警告音を発生させるブザー７５（通知手段，警報手段）とを有している。左側の窓口操作員Ａに装着される装着部材７１ＡのＲＦＩＤインレット７２には、装着部材識別情報として装着部材７１Ａを他の装着部材と識別するための個別の第１装着部材識別情報が記憶されている。また、図１に示すように右側の窓口操作員Ｂに装着される装着部材７１Ｂの図２に示すＲＦＩＤインレット７２には、装着部材識別情報として装着部材７１Ｂを他の装着部材と識別するための個別の第２装着部材識別情報が記憶されている。
【００３７】
装着部材７１ＡのＲＦＩＤインレット７２に記憶された第１装着部材識別情報は、窓口操作機１１Ａに個別に設定された第１操作機識別情報と対応しており、窓口操作機１１Ｂに個別に設定された第２操作機識別情報を含む他の操作機識別情報には対応していない。この対応関係は制御部９１に記憶されている。また、装着部材７１ＢのＲＦＩＤインレット７２に記憶された第２装着部材識別情報は、窓口操作機１１Ｂに個別に設定された第２操作機識別情報と対応しており、窓口操作機１１Ａに個別に設定された第１操作機識別情報を含む他の操作機識別情報には対応していない。この対応関係も制御部９１に記憶されている。
【００３８】
図３に示すように、現金処理機１２には、硬貨入金部３６の近傍に図２に示すＲＦＩＤインレット７２と無線通信可能な硬貨入金部３６用のＲＦＩＤリーダ８１（判別手段）が設けられている。このＲＦＩＤリーダ８１は、硬貨入金部３６よりも機体前面側に設けられており、具体的には、現金処理機１２の機体上面の硬貨入金口３２の前方の左右方向中央位置に設けられている。
【００３９】
また、現金処理機１２には、硬貨出金部４５の近傍に図２に示すＲＦＩＤインレット７２と無線通信可能な硬貨出金部４５用のＲＦＩＤリーダ８２（判別手段）が設けられている。このＲＦＩＤリーダ８２は、硬貨出金部４５よりも機体前面側に設けられており、具体的には、現金処理機１２の機体前面の凹部４１の上方の左右方向中央位置に設けられている。
【００４０】
また、現金処理機１２には、紙幣入金部５６の近傍に図２に示すＲＦＩＤインレット７２と無線通信可能な紙幣入金部５６用のＲＦＩＤリーダ８３（判別手段）が設けられている。このＲＦＩＤリーダ８３は、紙幣入金部５６よりも機体前面側に設けられており、具体的には、現金処理機１２の機体上面の紙幣入金口５２と紙幣出金口６１との間の左右方向中央位置に設けられている。
【００４１】
また、現金処理機１２には、紙幣出金部６５の近傍に図２に示すＲＦＩＤインレット７２と無線通信可能な紙幣出金部６５用のＲＦＩＤリーダ８４（判別手段）が設けられている。このＲＦＩＤリーダ８４は、紙幣出金部６５よりも機体前面側に設けられており、具体的には、現金処理機１２の機体前面の突出部５１の上部の左右方向中央位置に設けられている。
【００４２】
ＲＦＩＤリーダ８１〜８４は、それぞれ、図２に示す装着部材７１ＡのＲＦＩＤインレット７２との距離が所定値以内になるとこのＲＦＩＤインレット７２に記憶された第１装着部材識別情報を読み込み可能となる一方、装着部材７１ＡのＲＦＩＤインレット７２との距離が所定値を越えるとこのＲＦＩＤインレット７２に記憶された第１装着部材識別情報を読み込み不可となるように通信範囲が設定されている。同様に、ＲＦＩＤリーダ８１〜８４は、それぞれ、装着部材７１ＢのＲＦＩＤインレット７２との距離が所定値以内になるとこのＲＦＩＤインレット７２に記憶された第２装着部材識別情報を読み込み可能となる一方、装着部材７１ＢのＲＦＩＤインレット７２との距離が所定値を越えるとこのＲＦＩＤインレット７２に記憶された第２装着部材識別情報を読み込み不可となるように通信範囲が設定されている。より具体的に、ＲＦＩＤリーダ８１〜８４は、窓口操作員Ａが現金処理機１２にアクセスしようとしない限り、装着部材７１ＡのＲＦＩＤインレット７２とは通信不可であり、窓口操作員Ｂが現金処理機１２にアクセスしようとしない限り、装着部材７１ＢのＲＦＩＤインレット７２とは通信不可となるように、通信範囲が設定されている。
【００４３】
よって、ＲＦＩＤリーダ８１〜８４は、それぞれ、第１装着部材識別情報を読み込み可能な状態になると、装着部材７１ＡのＲＦＩＤインレット７２との距離が所定値以内になったことを検出することになり、第１装着部材識別情報を読み込み不可な状態になると、装着部材７１ＡのＲＦＩＤインレット７２との距離が所定値を越えたことを検出することになる。同様に、ＲＦＩＤリーダ８１〜８４は、それぞれ、第２装着部材識別情報を読み込み可能な状態になると、装着部材７１ＢのＲＦＩＤインレット７２との距離が所定値以内になったことを検出することになり、第２装着部材識別情報を読み込み不可な状態になると、装着部材７１ＢのＲＦＩＤインレット７２との距離が所定値を越えたことを検出することになる。言い換えれば、ＲＦＩＤリーダ８１〜８４は、それぞれ、装着部材７１ＡのＲＦＩＤインレット７２との距離が所定値以内になったか否かを検出可能であり、装着部材７１ＡのＲＦＩＤインレット７２との距離が所定値以内になったか否かを検出可能である。
【００４４】
よって、ＲＦＩＤリーダ８１は、硬貨入金部３６と装着部材７１ＡのＲＦＩＤインレット７２との距離が略所定値以内になったか否かを検出可能であり、硬貨入金部３６と装着部材７１ＢのＲＦＩＤインレット７２との距離が略所定値以内になったか否かを検出可能である。ＲＦＩＤリーダ８２は、硬貨出金部４５と装着部材７１ＡのＲＦＩＤインレット７２との距離が略所定値以内になったか否かを検出可能であり、硬貨出金部４５と装着部材７１ＢのＲＦＩＤインレット７２との距離が略所定値以内になったか否かを検出可能である。ＲＦＩＤリーダ８３は、紙幣入金部５６と装着部材７１ＡのＲＦＩＤインレット７２との距離が略所定値以内になったか否かを検出可能であり、紙幣入金部５６と装着部材７１ＢのＲＦＩＤインレット７２との距離が略所定値以内になったか否かを検出可能である。ＲＦＩＤリーダ８４は、紙幣出金部６５と装着部材７１ＡのＲＦＩＤインレット７２との距離が略所定値以内になったか否かを検出可能であり、紙幣出金部６５と装着部材７１ＢのＲＦＩＤインレット７２との距離が略所定値以内になったか否かを検出可能である。
【００４５】
これらのＲＦＩＤリーダ８１〜８４の検出結果は、同じ現金処理機１２内の図２に示す制御部９１（判別手段，制御手段）に送信される。制御部９１は、無線によって、装着部材７１Ａ，７１Ｂのそれぞれのランプ７３の点灯、バイブレータ７４の振動およびブザー７５の鳴動を制御可能となっている。制御部９１は、装着部材７１Ａ，７１Ｂのそれぞれのランプ７３の点滅パターン、バイブレータ７４の振動パターン、ブザー７５の鳴動パターンを切り替えることによって、貨幣の受け取り推進および投入推進を通知したり、貨幣の取り間違いおよび投入間違いを警告したりする。つまり、ランプ７３、バイブレータ７４およびブザー７５は、左右２名の窓口操作員Ａ，Ｂのそれぞれに対して、出金貨幣の受け取り推進を通知可能かつ入金貨幣の投入推進を通知可能である。
【００４６】
受け取り推進および投入推進の通知は、例えば、ランプ７３に比較的長い周期で点滅を行わせる促進点滅と、バイブレータ７４に比較的長い周期で断続振動を行わせる促進振動とを組み合わせ、ブザー７５を無音とする。また、貨幣の取り間違いおよび投入間違いの警告は、例えば、ランプ７３に受け取り推進および投入推進の通知よりも大幅に短い周期で点滅を行わせる警報点滅と、バイブレータ７４に受け取り推進および投入推進の通知よりも大幅に短い周期で断続振動を行わせる警報振動と、ブザー７５で警報音を発生させる警報音発生とを組み合わせる。
【００４７】
次に、制御部９１による出金処理および入金処理の制御内容の要部について、現金処理機１２が窓口操作機１１Ａに占有された状態を例にとり説明する。なお、現金処理機１２が窓口操作機１１Ｂに占有された状態については、以下の窓口操作員Ａを窓口操作員Ｂに、窓口操作員Ｂを窓口操作員Ａに、窓口操作機１１Ａを窓口操作機１１Ｂに、窓口操作機１１Ｂを窓口操作機１１Ａに、右手を左手に、装着部材７１Ａを装着部材７１Ｂに、装着部材７１Ｂを装着部材７１Ａに、第１操作機識別情報を第２操作機識別情報に、第２操作機識別情報を第１操作機識別情報に、第１装着部材識別情報を第２装着部材識別情報に、第２装着部材識別情報を第１装着部材識別情報に、それぞれ読み替えればよい。
【００４８】
［出金処理］
「出金指示に硬貨および紙幣の両方の出金処理が含まれる場合」
制御部９１は、現金処理機１２が窓口操作機１１Ａに占有された状態でこの窓口操作機１１Ａからの出金指示に基づいて現金処理機１２が出金処理を行う際に、当該出金指示に硬貨および紙幣の両方の出金処理が含まれる場合には、硬貨入出金装置部４８によって、受皿検知センサ４３で検知され受皿ロック機構４４でロックされて待機状態にある受皿４２内に出金硬貨を放出する。また、紙幣入出金装置部６８によって、紙幣出金口シャッタ６２が閉じられて待機状態にある紙幣出金口６１内に出金紙幣を繰り出す。
【００４９】
出金硬貨の受皿４２への放出および出金紙幣の紙幣出金口６１内への繰り出しが完了すると、制御部９１は、当該出金指示を出力した窓口操作機１１Ａと対応する、一方の窓口操作員Ａに装着された装着部材７１Ａに、ランプ７３の促進点滅およびバイブレータ７４の促進振動を実行させて、窓口操作員Ａに出金貨幣の受け取り推進を通知する。それとともに、制御部９１は、窓口操作機１１Ａの制御部１８に信号を送信し、窓口操作機１１Ａの表示部１６によっても窓口操作員Ａに出金貨幣の受け取り推進を通知する。この表示部１６による通知には、右手を受皿４２に近づけることを促す表示、および、右手を紙幣出金口６１に近づけることを促す表示を含む。
【００５０】
上記した出金貨幣の受け取り推進の通知後、制御部９１は、当該出金指示を出力した窓口操作機１１Ａの操作機識別情報と、ＲＦＩＤリーダ８２が読み込んだ、硬貨出金部４５から出金硬貨を取り出そうとしている窓口操作員に装着された出金アクセス装着部材の装着部材識別情報とが対応する場合、つまり、窓口操作機１１Ａの第１操作機識別情報と対応する第１装着部材識別情報をＲＦＩＤリーダ８２が読み込んだ場合に、制御部９１は、受皿ロック機構４４による受皿４２のロックを解除し受皿４２を凹部４１から引き出し可能として硬貨出金部４５から現金を取り出し可能とする。その後、受皿検知センサ４３が受皿４２の取り出しおよび再装填を検出すると、制御部９１は、受皿ロック機構４４で受皿４２をロックして硬貨出金部４５を待機状態に戻し、硬貨の出金処理を終了する。ここで、窓口操作機１１Ａの第１操作機識別情報と対応する第１装着部材識別情報をＲＦＩＤリーダ８２が読み込んだときに、後述する紙幣の出金処理が終了していれば、制御部９１は、装着部材７１Ａについての、ランプ７３の促進点滅およびバイブレータ７４の促進振動と、表示部１６の受け取り推進の表示とを終了させる。
【００５１】
他方、上記した出金貨幣の受け取り推進の通知後、当該出金指示を出力した窓口操作機１１Ａの操作機識別情報と、ＲＦＩＤリーダ８２が読み込んだ、硬貨出金部４５から出金硬貨を取り出そうとしている窓口操作員に装着された出金アクセス装着部材の装着部材識別情報とが対応しない場合、つまり、窓口操作機１１Ａの第１操作機識別情報と対応しない第２装着部材識別情報をＲＦＩＤリーダ８２が読み込んだ場合（第１装着部材識別情報と第２装着部材識別情報との同時読み込みの場合も含む）に、制御部９１は、受皿ロック機構４４による受皿４２のロックを解除せず、硬貨出金部４５から現金を取り出し不可とする。それとともに、制御部９１は、第２装着部材識別情報が記憶されたＲＦＩＤインレット７２を有する装着部材７１Ｂに、ランプ７３の警報点滅とバイブレータ７４の警報振動とブザー７５の警報音発生とを実行させる。加えて、制御部９１は、窓口操作機１１Ａ，１１Ｂの制御部１８に信号を出力して表示部１６，１６に取り間違い発生の警報表示を表示させる。制御部９１は、その後、第２装着部材識別情報をＲＦＩＤリーダ８２が読み込まなくなると、装着部材７１Ｂについての、ランプ７３の警報点滅、バイブレータ７４の警報振動およびブザー７５の警報音発生と、表示部１６，１６の取り間違い発生の警報表示とを終了させる。
【００５２】
以上により、現金処理機１２に設けられたＲＦＩＤリーダ８２および制御部９１は、窓口操作機１１Ａ，１１Ｂのうちの出金指示を出力した窓口操作機の操作機識別情報と、硬貨出金部４５から出金硬貨を取り出そうとしている窓口操作員に装着された出金アクセス装着部材の装着部材識別情報とが対応する場合に、硬貨出金部４５から現金を取り出し可能とする。他方で、ＲＦＩＤリーダ８２および制御部９１は、窓口操作機１１Ａ，１１Ｂのうちの出金指示を出力した窓口操作機の操作機識別情報と対応しない装着部材識別情報を、出金アクセス装着部材の装着部材識別情報と判別した場合に、装着部材７１Ａ，７１Ｂのうちの出金指示を出力した窓口操作機と対応しない装着部材のランプ７３、バイブレータ７４およびブザー７５で警報を発生させる。
【００５３】
また、以上により、ＲＦＩＤリーダ８２および制御部９１は、装着部材７１Ａ，７１ＢのＲＦＩＤインレット７２と通信することにより、硬貨出金部４５から出金貨幣を取り出そうとしている窓口操作員に装着された出金アクセス装着部材の装着部材識別情報を判別する。具体的に、ＲＦＩＤリーダ８２および制御部９１は、ＲＦＩＤリーダ８２と装着部材７１ＡのＲＦＩＤインレット７２との距離が所定値以内となりＲＦＩＤリーダ８２が装着部材７１ＡのＲＦＩＤインレット７２と通信すると、この装着部材７１ＡのＲＦＩＤインレット７２に記憶された第１装着部材識別情報を出金アクセス装着部材の装着部材識別情報と判別する。他方で、ＲＦＩＤリーダ８２および制御部９１は、ＲＦＩＤリーダ８２と装着部材７１ＢのＲＦＩＤインレット７２との距離が所定値以内となりＲＦＩＤリーダ８２が装着部材７１ＢのＲＦＩＤインレット７２と通信すると、この装着部材７１ＢのＲＦＩＤインレット７２に記憶された第２装着部材識別情報を出金アクセス装着部材の装着部材識別情報と判別する。
【００５４】
上記した出金貨幣の受け取り推進の通知後、制御部９１は、上記した硬貨の出金処理と前後または並行して、紙幣の出金処理を行う。すなわち、制御部９１は、上記した出金指示を出力した窓口操作機１１Ａの操作機識別情報と、ＲＦＩＤリーダ８４が読み込んだ、図４に示すように、紙幣出金部６５から出金紙幣を取り出そうとしている窓口操作員に装着された出金アクセス装着部材の装着部材識別情報とが対応する場合、つまり、窓口操作機１１Ａの第１操作機識別情報と対応する第１装着部材識別情報をＲＦＩＤリーダ８４が読み込んだ場合に、制御部９１は、紙幣出金口開閉駆動機構６４により紙幣出金口シャッタ６２を開いて紙幣出金部６５の紙幣出金口６１から現金を取り出し可能とする。その後、紙幣出金口６１から出金紙幣が取り出されたことを出金口紙幣センサ６３が検出すると、制御部９１は、紙幣出金口開閉駆動機構６４により紙幣出金口シャッタ６２を閉じて紙幣出金部６５を待機状態に戻し、紙幣の出金処理を終了する。ここで、窓口操作機１１Ａの第１操作機識別情報と対応する第１装着部材識別情報をＲＦＩＤリーダ８４が読み込んだときに、上述した硬貨の出金処理が終了していれば、制御部９１は、装着部材７１Ａについての、ランプ７３の促進点滅およびバイブレータ７４の促進振動と、表示部１６の受け取り推進の表示とを終了させる。
【００５５】
他方、上記した出金貨幣の受け取り推進の通知後、出金指示を出力した窓口操作機１１Ａの操作機識別情報と、ＲＦＩＤリーダ８４が読み込んだ、紙幣出金部６５から出金紙幣を取り出そうとしている窓口操作員に装着された出金アクセス装着部材の装着部材識別情報とが対応しない場合、つまり、窓口操作機１１Ａの第１操作機識別情報と対応しない第２装着部材識別情報をＲＦＩＤリーダ８４が読み込んだ場合（第１装着部材識別情報と第２装着部材識別情報との同時読み込みの場合も含む）に、制御部９１は、紙幣出金口シャッタ６２を閉状態に維持し、紙幣出金部６５から現金を取り出し不可とする。それとともに、制御部９１は、第２装着部材識別情報が記憶されたＲＦＩＤインレット７２を有する装着部材７１Ｂに、ランプ７３の警報点滅とバイブレータ７４の警報振動とブザー７５の警報音発生とを実行させ、窓口操作機１１Ａ，１１Ｂの表示部１６，１６に取り間違い発生の警報表示を表示させる。制御部９１は、その後、第２装着部材識別情報をＲＦＩＤリーダ８４が読み込まなくなると、装着部材７１Ｂについての、ランプ７３の警報点滅、バイブレータ７４の警報振動およびブザー７５の警報音発生と、表示部１６，１６の取り間違い発生の警報表示とを終了させる。
【００５６】
以上により、現金処理機１２に設けられたＲＦＩＤリーダ８４および制御部９１は、窓口操作機１１Ａ，１１Ｂのうちの出金指示を出力した窓口操作機の操作機識別情報と、紙幣出金部６５から出金紙幣を取り出そうとしている窓口操作員に装着された出金アクセス装着部材の装着部材識別情報とが対応する場合に、紙幣出金部６５から現金を取り出し可能とする。他方で、ＲＦＩＤリーダ８４および制御部９１は、窓口操作機１１Ａ，１１Ｂのうちの出金指示を出力した窓口操作機の操作機識別情報と対応しない装着部材識別情報を、出金アクセス装着部材の装着部材識別情報と判別した場合に、装着部材７１Ａ，７１Ｂのうちの出金指示を出力した窓口操作機と対応しない装着部材のランプ７３、バイブレータ７４およびブザー７５で警報を発生させる。
【００５７】
また、以上により、ＲＦＩＤリーダ８４および制御部９１は、装着部材７１Ａ，７１ＢのＲＦＩＤインレット７２と通信することにより、紙幣出金部６５から出金貨幣を取り出そうとしている窓口操作員に装着された出金アクセス装着部材の装着部材識別情報を判別する。具体的に、ＲＦＩＤリーダ８４および制御部９１は、ＲＦＩＤリーダ８４と装着部材７１ＡのＲＦＩＤインレット７２との距離が所定値以内となりＲＦＩＤリーダ８４が装着部材７１ＡのＲＦＩＤインレット７２と通信すると、この装着部材７１ＡのＲＦＩＤインレット７２に記憶された第１装着部材識別情報を出金アクセス装着部材の装着部材識別情報と判別する。他方で、ＲＦＩＤリーダ８４および制御部９１は、ＲＦＩＤリーダ８４と装着部材７１ＢのＲＦＩＤインレット７２との距離が所定値以内となりＲＦＩＤリーダ８４が装着部材７１ＢのＲＦＩＤインレット７２と通信すると、この装着部材７１ＢのＲＦＩＤインレット７２に記憶された第２装着部材識別情報を出金アクセス装着部材の装着部材識別情報と判別する。
【００５８】
上記した出金貨幣の受け取り推進の通知後、所定時間内に、ＲＦＩＤリーダ８２，８４のいずれも、当該出金指示を出力した窓口操作機１１Ａの第１操作機識別情報と対応する第１装着部材識別情報を読み込んでいないことを、前記所定時間経過時点で確認すると、制御部９１は、当該出金指示を出力した窓口操作機１１Ａと対応する装着部材７１Ａに、ランプ７３の警報点滅、バイブレータ７４の警報振動およびブザー７５の警報音発生を実行させ、窓口操作機１１Ａの表示部１６に取り忘れ発生の警報表示を表示させる。制御部９１は、その後、第１装着部材識別情報をＲＦＩＤリーダ８２，８４のいずれか一方が読み込むと、装着部材７１Ａについての、ランプ７３の警報点滅、バイブレータ７４の警報振動およびブザー７５の警報音発生と、表示部１６の取り忘れ発生の警報表示とを終了させる。
【００５９】
以上により、ＲＦＩＤリーダ８２，８４および制御部９１は、出金貨幣の受け取り推進の通知後、所定時間内に、当該出金指示を出力した窓口操作機１１Ａの第１操作機識別情報と対応する第１装着部材識別情報を、出金アクセス装着部材の装着部材識別情報と判別できない場合に、出金指示を出力した窓口操作機１１Ａと対応する装着部材７１Ａのランプ７３、バイブレータ７４およびブザー７５等で警報を発生させる。
【００６０】
「出金指示に硬貨の出金処理のみが含まれる場合」
上記の出金指示に紙幣の出金処理が含まれず硬貨の出金処理のみが含まれる場合には、硬貨入出金装置部４８による、待機状態にある受皿４２への出金硬貨の放出が完了すると、制御部９１は、当該出金指示を出力した窓口操作機１１Ａと対応する装着部材７１Ａに、ランプ７３の促進点滅およびバイブレータ７４の促進振動を実行させて出金貨幣の受け取り推進を窓口操作員Ａに通知する。それとともに、制御部９１は、窓口操作機１１Ａの表示部１６によっても出金貨幣の受け取り推進を窓口操作員Ａに通知する。この表示部１６による通知には、右手を受皿４２に近づけることを促す表示を含む。
【００６１】
上記した出金貨幣の受け取り推進の通知後、制御部９１は、窓口操作機１１Ａの第１操作機識別情報と対応する第１装着部材識別情報をＲＦＩＤリーダ８２が読み込んだ場合に、装着部材７１Ａについての、ランプ７３の促進点滅およびバイブレータ７４の促進振動と、表示部１６の受け取り推進の表示を終了させる。それとともに、制御部９１は、受皿ロック機構４４による受皿４２のロックを解除し受皿４２を凹部４１から引き出し可能として硬貨出金部４５から現金を取り出し可能とする。その後、受皿検知センサ４３が受皿４２の取り出しおよび再装填を検出すると、制御部９１は、受皿ロック機構４４で受皿４２をロックして硬貨出金部４５を待機状態に戻し、硬貨の出金処理を終了する。
【００６２】
他方、上記した出金貨幣の受け取り推進の通知後、窓口操作機１１Ａの第１操作機識別情報と対応しない第２装着部材識別情報をＲＦＩＤリーダ８２が読み込んだ場合（第１装着部材識別情報と第２装着部材識別情報との同時読み込みの場合も含む）に、制御部９１は、受皿ロック機構４４による受皿４２のロックを解除せず、硬貨出金部４５から現金を取り出し不可とする。それとともに、制御部９１は、第２装着部材識別情報が記憶されたＲＦＩＤインレット７２を有する装着部材７１Ｂに、ランプ７３の警報点滅とバイブレータ７４の警報振動とブザー７５の警報音発生とを実行させ、窓口操作機１１Ａ，１１Ｂの表示部１６，１６に取り間違い発生の警報表示を表示させる。制御部９１は、その後、第２装着部材識別情報をＲＦＩＤリーダ８２が読み込まなくなると、装着部材７１Ｂについての、ランプ７３の警報点滅、バイブレータ７４の警報振動およびブザー７５の警報音発生と、表示部１６，１６の取り間違い発生の警報表示とを終了させる。
【００６３】
上記した出金貨幣の受け取り推進の通知後、所定時間内に、ＲＦＩＤリーダ８２が、当該出金指示を出力した窓口操作機１１Ａの第１操作機識別情報と対応する第１装着部材識別情報を読み込んでいないことを、前記所定時間経過時点で確認すると、制御部９１は、当該出金指示を出力した窓口操作機１１Ａと対応する装着部材７１Ａに、ランプ７３の警報点滅、バイブレータ７４の警報振動およびブザー７５の警報音発生を実行させ、窓口操作機１１Ａの表示部１６に取り忘れ発生の警報表示を表示させる。制御部９１は、その後、第１装着部材識別情報をＲＦＩＤリーダ８２が読み込むと、装着部材７１Ａについての、ランプ７３の警報点滅、バイブレータ７４の警報振動およびブザー７５の警報音発生と、表示部１６の取り忘れ発生の警報表示とを終了させる。
【００６４】
「出金指示に紙幣の出金処理のみが含まれる場合」
上記の出金指示に硬貨の出金処理が含まれず紙幣の出金処理のみが含まれる場合には、紙幣入出金装置部６８による、待機状態にある紙幣出金部６５の紙幣出金口６１内への出金紙幣の繰り出しが完了すると、制御部９１は、当該出金指示を出力した窓口操作機１１Ａと対応する装着部材７１Ａに、ランプ７３の促進点滅およびバイブレータ７４の促進振動を実行させて出金貨幣の受け取り推進を窓口操作員Ａに通知する。それとともに、制御部９１は、窓口操作機１１Ａの表示部１６によっても出金貨幣の受け取り推進を窓口操作員Ａに通知する。この表示部１６による通知には、右手を紙幣出金口６１に近づけることを促す表示を含む。
【００６５】
上記した出金貨幣の受け取り推進の通知後、制御部９１は、窓口操作機１１Ａの第１操作機識別情報と対応する第１装着部材識別情報をＲＦＩＤリーダ８４が読み込んだ場合に、装着部材７１Ａについての、ランプ７３の促進点滅およびバイブレータ７４の促進振動と、表示部１６の受け取り推進の表示とを終了させる。それとともに、制御部９１は、紙幣出金口開閉駆動機構６４により紙幣出金口シャッタ６２を開いて紙幣出金部６５の紙幣出金口６１から現金を取り出し可能とする。その後、紙幣出金口６１から出金紙幣が取り出されたことを出金口紙幣センサ６３が検出すると、制御部９１は、紙幣出金口開閉駆動機構６４により紙幣出金口シャッタ６２を閉じて、紙幣出金部６５を待機状態に戻し、紙幣の出金処理を終了する。
【００６６】
他方、上記した出金貨幣の受け取り推進の通知後、窓口操作機１１Ａの第１操作機識別情報と対応しない第２装着部材識別情報をＲＦＩＤリーダ８４が読み込んだ場合（第１装着部材識別情報と第２装着部材識別情報との同時読み込みの場合も含む）に、制御部９１は、紙幣出金口シャッタ６２を閉状態に維持し、紙幣出金部６５から現金を取り出し不可とする。それとともに、制御部９１は、第２装着部材識別情報が記憶されたＲＦＩＤインレット７２を有する装着部材７１Ｂに、ランプ７３の警報点滅とバイブレータ７４の警報振動とブザー７５の警報音発生とを実行させ、窓口操作機１１Ａ，１１Ｂの表示部１６，１６に取り間違い発生の警報表示を表示させる。制御部９１は、その後、第２装着部材識別情報をＲＦＩＤリーダ８４が読み込まなくなると、装着部材７１Ｂについての、ランプ７３の警報点滅、バイブレータ７４の警報振動およびブザー７５の警報音発生と、表示部１６，１６の取り間違い発生の警報表示とを終了させる。
【００６７】
上記した出金貨幣の受け取り推進の通知後、所定時間内に、ＲＦＩＤリーダ８４が、当該出金指示を出力した窓口操作機１１Ａの第１操作機識別情報と対応する第１装着部材識別情報を読み込んでいないことを、前記所定時間経過時点で確認すると、制御部９１は、当該出金指示を出力した窓口操作機１１Ａと対応する装着部材７１Ａに、ランプ７３の警報点滅、バイブレータ７４の警報振動およびブザー７５の警報音発生を実行させ、窓口操作機１１Ａの表示部１６に取り忘れ発生の警報表示を表示させる。制御部９１は、その後、第１装着部材識別情報をＲＦＩＤリーダ８４が読み込むと、装着部材７１Ａについての、ランプ７３の警報点滅、バイブレータ７４の警報振動およびブザー７５の警報音発生と、表示部１６の取り忘れ発生の警報表示とを終了させる。
【００６８】
［入金処理］
「入金指示に硬貨および紙幣の両方の入金処理が含まれる場合」
制御部９１は、現金処理機１２が窓口操作機１１Ａに占有された状態でこの窓口操作機１１Ａからの入金指示に基づいて現金処理機１２が入金処理を行う際に、当該入金指示に硬貨および紙幣の両方の入金処理が含まれる場合には、当該入金指示を出力した窓口操作機１１Ａと対応する装着部材７１Ａに、ランプ７３の促進点滅およびバイブレータ７４の促進振動を実行させて入金貨幣の投入推進を窓口操作員Ａに通知する。それとともに、制御部９１は、窓口操作機１１Ａの表示部１６によっても入金貨幣の投入推進を窓口操作員Ａに通知する。この表示部１６による通知には、入金硬貨を持って右手を硬貨入金口３２に近づけることを促す表示、および、入金紙幣を持って右手を紙幣入金口５２に近づけることを促す表示を含む。
【００６９】
上記した入金貨幣の投入推進の通知後、制御部９１は、当該入金指示を出力した窓口操作機１１Ａの操作機識別情報と、ＲＦＩＤリーダ８１が読み込んだ、硬貨入金部３６に入金硬貨を投入しようとしている窓口操作員に装着された入金アクセス装着部材の装着部材識別情報とが対応する場合、つまり、窓口操作機１１Ａの第１操作機識別情報と対応する第１装着部材識別情報をＲＦＩＤリーダ８１が読み込んだ場合に、制御部９１は、硬貨入金口開閉駆動機構３５により硬貨入金口シャッタ３３を開いて、硬貨入金部３６の硬貨入金口３２に現金を投入可能とする。その後、入金口硬貨センサ３４が入金硬貨の硬貨入金口３２への投入を検出すると、制御部９１は、硬貨入金口開閉駆動機構３５により硬貨入金口シャッタ３３を閉じて、硬貨入金部３６を待機状態に戻すとともに、硬貨入出金装置部４８により、硬貨の入金処理を行わせる。ここで、窓口操作機１１Ａの第１操作機識別情報と対応する第１装着部材識別情報をＲＦＩＤリーダ８１が読み込んだときに、後述する紙幣の紙幣入金口５２への投入が終了していれば、制御部９１は、装着部材７１Ａについての、ランプ７３の促進点滅およびバイブレータ７４の促進振動と、表示部１６の投入推進の表示とを終了させる。
【００７０】
他方、上記した入金貨幣の投入推進の通知後、当該入金指示を出力した窓口操作機１１Ａの操作機識別情報と、ＲＦＩＤリーダ８１が読み込んだ、硬貨入金部３６に入金硬貨を投入しようとしている窓口操作員に装着された入金アクセス装着部材の装着部材識別情報とが対応しない場合、つまり、窓口操作機１１Ａの第１操作機識別情報と対応しない第２装着部材識別情報をＲＦＩＤリーダ８１が読み込んだ場合（第１装着部材識別情報と第２装着部材識別情報との同時読み込みの場合も含む）に、制御部９１は、硬貨入金口シャッタ３３の閉状態を維持し、硬貨入金部３６への現金の投入を不可とする。それとともに、制御部９１は、第２装着部材識別情報が記憶されたＲＦＩＤインレット７２を有する装着部材７１Ｂに、ランプ７３の警報点滅とバイブレータ７４の警報振動とブザー７５の警報音発生とを実行させ、窓口操作機１１Ａ，１１Ｂの表示部１６，１６に投入間違い発生の警報表示を表示させる。制御部９１は、その後、第２装着部材識別情報をＲＦＩＤリーダ８２が読み込まなくなると、装着部材７１Ｂについての、ランプ７３の警報点滅、バイブレータ７４の警報振動およびブザー７５の警報音発生と、表示部１６，１６の投入間違い発生の警報表示とを終了させる。
【００７１】
以上により、現金処理機１２に設けられたＲＦＩＤリーダ８１および制御部９１は、窓口操作機１１Ａ，１１Ｂのうちの入金指示を出力した窓口操作機の操作機識別情報と、硬貨入金部３６に入金硬貨を投入しようとしている窓口操作員に装着された入金アクセス装着部材の装着部材識別情報とが対応する場合に、硬貨入金部３６へ現金を投入可能とする。他方で、ＲＦＩＤリーダ８１および制御部９１は、窓口操作機１１Ａ，１１Ｂのうちの入金指示を出力した窓口操作機の操作機識別情報と対応しない装着部材識別情報を、入金アクセス装着部材の装着部材識別情報と判別した場合に、装着部材７１Ａ，７１Ｂのうちの入金指示を出力した窓口操作機と対応しない装着部材のランプ７３、バイブレータ７４およびブザー７５で警報を発生させる。
【００７２】
また、以上により、ＲＦＩＤリーダ８１および制御部９１は、装着部材７１Ａ，７１ＢのＲＦＩＤインレット７２と通信することにより、硬貨入金部３６に入金貨幣を投入しようとしている窓口操作員に装着された入金アクセス装着部材の装着部材識別情報を判別する。具体的に、ＲＦＩＤリーダ８１および制御部９１は、ＲＦＩＤリーダ８１と装着部材７１ＡのＲＦＩＤインレット７２との距離が所定値以内となりＲＦＩＤリーダ８１が装着部材７１ＡのＲＦＩＤインレット７２と通信すると、この装着部材７１ＡのＲＦＩＤインレット７２に記憶された第１装着部材識別情報を入金アクセス装着部材の装着部材識別情報と判別する。他方で、ＲＦＩＤリーダ８１および制御部９１は、ＲＦＩＤリーダ８１と装着部材７１ＢのＲＦＩＤインレット７２との距離が所定値以内となりＲＦＩＤリーダ８１が装着部材７１ＢのＲＦＩＤインレット７２と通信すると、この装着部材７１ＢのＲＦＩＤインレット７２に記憶された第２装着部材識別情報を入金アクセス装着部材の装着部材識別情報と判別する。
【００７３】
上記した入金貨幣の投入推進の通知後、制御部９１は、上記した硬貨の入金処理と前後または並行して、紙幣の入金処理を行う。すなわち、制御部９１は、上記した入金指示を出力した窓口操作機１１Ａの操作機識別情報と、ＲＦＩＤリーダ８３が読み込んだ、紙幣入金部５６に入金紙幣を投入しようとしている窓口操作員に装着された入金アクセス装着部材の装着部材識別情報とが対応する場合、つまり、窓口操作機１１Ａの第１操作機識別情報と対応する第１装着部材識別情報をＲＦＩＤリーダ８３が読み込んだ場合に、制御部９１は、紙幣入金口開閉駆動機構５５により紙幣入金口シャッタ５３を開いて紙幣入金部５６の紙幣入金口５２へ現金を投入可能とする。その後、紙幣入金口５２へ入金紙幣が投入されたことを入金口紙幣センサ５４が検出すると、制御部９１は、紙幣入金口開閉駆動機構５５により紙幣入金口シャッタ５３を閉じて、紙幣入金部５６を待機状態に戻すとともに、紙幣入出金装置部６８により、紙幣の入金処理を行わせる。ここで、窓口操作機１１Ａの第１操作機識別情報と対応する第１装着部材識別情報をＲＦＩＤリーダ８３が読み込んだときに、上述した硬貨の硬貨入金口３２への投入が終了していれば、制御部９１は、装着部材７１Ａについての、ランプ７３の促進点滅およびバイブレータ７４の促進振動と、表示部１６の投入推進の表示とを終了させる。
【００７４】
他方、上記した入金貨幣の投入推進の通知後、窓口操作機１１Ａの第１操作機識別情報と対応しない第２装着部材識別情報をＲＦＩＤリーダ８３が読み込んだ場合（第１装着部材識別情報と第２装着部材識別情報との同時読み込みの場合も含む）に、制御部９１は、紙幣入金口シャッタ５３を閉状態に維持し、紙幣入金口５２への現金の投入を不可とする。それとともに、制御部９１は、第２装着部材識別情報が記憶されたＲＦＩＤインレット７２を有する装着部材７１Ｂに、ランプ７３の警報点滅とバイブレータ７４の警報振動とブザー７５の警報音発生とを実行させ、窓口操作機１１Ａ，１１Ｂの表示部１６，１６に投入間違い発生の警報表示を表示させる。制御部９１は、その後、第２装着部材識別情報をＲＦＩＤリーダ８３が読み込まなくなると、装着部材７１Ｂについての、ランプ７３の警報点滅、バイブレータ７４の警報振動およびブザー７５の警報音発生と、表示部１６，１６の投入間違い発生の警報表示とを終了させる。
【００７５】
以上により、現金処理機１２に設けられたＲＦＩＤリーダ８３および制御部９１は、窓口操作機１１Ａ，１１Ｂのうちの入金指示を出力した窓口操作機の操作機識別情報と、紙幣入金部５６に入金紙幣を投入しようとしている窓口操作員に装着された入金アクセス装着部材の装着部材識別情報とが対応する場合に、紙幣入金部５６へ現金を投入可能とする。他方で、ＲＦＩＤリーダ８３および制御部９１は、窓口操作機１１Ａ，１１Ｂのうちの入金指示を出力した窓口操作機の操作機識別情報と対応しない装着部材識別情報を、入金アクセス装着部材の装着部材識別情報と判別した場合に、装着部材７１Ａ，７１Ｂのうちの入金指示を出力した窓口操作機と対応しない装着部材のランプ７３、バイブレータ７４およびブザー７５で警報を発生させる。
【００７６】
また、以上により、ＲＦＩＤリーダ８３および制御部９１は、装着部材７１Ａ，７１ＢのＲＦＩＤインレット７２と通信することにより、紙幣入金部５６に入金貨幣を投入しようとしている窓口操作員に装着された入金アクセス装着部材の装着部材識別情報を判別する。具体的に、ＲＦＩＤリーダ８３および制御部９１は、ＲＦＩＤリーダ８３と装着部材７１ＡのＲＦＩＤインレット７２との距離が所定値以内となりＲＦＩＤリーダ８３が装着部材７１ＡのＲＦＩＤインレット７２と通信すると、この装着部材７１ＡのＲＦＩＤインレット７２に記憶された第１装着部材識別情報を入金アクセス装着部材の装着部材識別情報と判別する。他方で、ＲＦＩＤリーダ８３および制御部９１は、ＲＦＩＤリーダ８１と装着部材７１ＢのＲＦＩＤインレット７２との距離が所定値以内となりＲＦＩＤリーダ８３が装着部材７１ＢのＲＦＩＤインレット７２と通信すると、この装着部材７１ＢのＲＦＩＤインレット７２に記憶された第２装着部材識別情報を入金アクセス装着部材の装着部材識別情報と判別する。
【００７７】
上記した入金貨幣の投入推進の通知後、所定時間内に、ＲＦＩＤリーダ８１，８３のいずれも、当該入金指示を出力した窓口操作機１１Ａの第１操作機識別情報と対応する第１装着部材識別情報を読み込んでいないことを、前記所定時間経過時点で確認すると、制御部９１は、当該入金指示を出力した窓口操作機１１Ａと対応する装着部材７１Ａに、ランプ７３の警報点滅、バイブレータ７４の警報振動およびブザー７５の警報音発生を実行させ、窓口操作機１１Ａの表示部１６に投入忘れ発生の警報表示を表示させる。制御部９１は、その後、第１装着部材識別情報をＲＦＩＤリーダ８１，８３のいずれか一方が読み込むと、装着部材７１Ａについての、ランプ７３の警報点滅、バイブレータ７４の警報振動およびブザー７５の警報音発生と、表示部１６の投入忘れ発生の警報表示とを終了させる。
【００７８】
以上により、ＲＦＩＤリーダ８１，８３および制御部９１は、入金貨幣の投入推進の通知後、所定時間内に、当該入金指示を出力した窓口操作機１１Ａの第１操作機識別情報と対応する第１装着部材識別情報を、入金アクセス装着部材の装着部材識別情報と判別できない場合に、入金指示を出力した窓口操作機１１Ａと対応する装着部材７１Ａのランプ７３、バイブレータ７４およびブザー７５等で警報を発生させる。
【００７９】
「入金指示に硬貨の入金処理のみが含まれる場合」
上記の入金指示に紙幣の入金処理が含まれず硬貨の入金処理のみが含まれる場合も、制御部９１は、当該入金指示を出力した窓口操作機１１Ａと対応する装着部材７１Ａに、ランプ７３の促進点滅およびバイブレータ７４の促進振動を実行させて入金貨幣の投入推進を窓口操作員Ａに通知する。それとともに、制御部９１は、窓口操作機１１Ａの表示部１６によっても入金貨幣の投入推進を窓口操作員Ａに通知する。この表示部１６による通知には、入金硬貨を持って右手を硬貨入金口３２に近づけることを促す表示を含む。
【００８０】
上記した入金貨幣の投入推進の通知後、制御部９１は、窓口操作機１１Ａの第１操作機識別情報と対応する第１装着部材識別情報をＲＦＩＤリーダ８１が読み込んだ場合に、装着部材７１Ａについての、ランプ７３の促進点滅およびバイブレータ７４の促進振動と、表示部１６の投入推進の表示を終了させる。それとともに、制御部９１は、硬貨入金口開閉駆動機構３５により硬貨入金口シャッタ３３を開いて、硬貨入金部３６の硬貨入金口３２に現金を投入可能とする。その後、入金口硬貨センサ３４が硬貨の硬貨入金口３２への投入を検出すると、制御部９１は、硬貨入金口開閉駆動機構３５により硬貨入金口シャッタ３３を閉じて硬貨出金部４５を待機状態に戻し、硬貨入出金装置部４８により、硬貨の入金処理を行わせる。
【００８１】
他方、上記した入金貨幣の投入推進の通知後、窓口操作機１１Ａの第１操作機識別情報と対応しない第２装着部材識別情報をＲＦＩＤリーダ８１が読み込んだ場合（第１装着部材識別情報と第２装着部材識別情報との同時読み込みの場合も含む）に、制御部９１は、硬貨入金口シャッタ３３の閉状態を維持して、硬貨入金部３６への現金の投入を不可とする。それとともに、制御部９１は、第２装着部材識別情報が記憶されたＲＦＩＤインレット７２を有する装着部材７１Ｂに、ランプ７３の警報点滅とバイブレータ７４の警報振動とブザー７５の警報音発生とを実行させ、窓口操作機１１Ａ，１１Ｂの表示部１６，１６に投入間違い発生の警報表示を表示させる。制御部９１は、その後、第２装着部材識別情報をＲＦＩＤリーダ８１が読み込まなくなると、装着部材７１Ｂについての、ランプ７３の警報点滅、バイブレータ７４の警報振動およびブザー７５の警報音発生と、表示部１６の投入間違い発生の警報表示とを終了させる。
【００８２】
また、入金貨幣の投入推進の通知後、所定時間内に、ＲＦＩＤリーダ８１が、当該入金指示を出力した窓口操作機１１Ａの第１操作機識別情報と対応する第１装着部材識別情報を読み込んでいないことを、前記所定時間経過時点で確認すると、制御部９１は、当該入金指示を出力した窓口操作機１１Ａと対応する装着部材７１Ａに、ランプ７３の警報点滅、バイブレータ７４の警報振動およびブザー７５の警報音発生を実行させ、窓口操作機１１Ａの表示部１６に投入忘れ発生の警報表示を表示させる。制御部９１は、その後、第１装着部材識別情報をＲＦＩＤリーダ８１が読み込むと、装着部材７１Ａについての、ランプ７３の警報点滅、バイブレータ７４の警報振動およびブザー７５の警報音発生と、表示部１６の投入忘れ発生の警報表示とを終了させる。
【００８３】
「入金指示に紙幣の入金処理のみが含まれる場合」
上記の入金指示に硬貨の入金処理が含まれず紙幣の入金処理のみが含まれる場合にも、制御部９１は、当該入金指示を出力した窓口操作機１１Ａと対応する装着部材７１Ａに、ランプ７３の促進点滅およびバイブレータ７４の促進振動を実行させて入金貨幣の投入推進を窓口操作員Ａに通知する。それとともに、制御部９１は、窓口操作機１１Ａの表示部１６によっても入金貨幣の投入推進を窓口操作員Ａに通知する。この表示部１６による通知には、入金紙幣を持って右手を紙幣入金口５２に近づけることを促す表示を含む。
【００８４】
上記した入金貨幣の投入推進の通知後、制御部９１は、窓口操作機１１Ａの第１操作機識別情報と対応する第１装着部材識別情報をＲＦＩＤリーダ８３が読み込んだ場合に、装着部材７１Ａについての、ランプ７３の促進点滅およびバイブレータ７４の促進振動と、表示部１６の投入推進の表示を終了させる。それとともに、制御部９１は、紙幣入金口開閉駆動機構５５により紙幣入金口シャッタ５３を開いて紙幣入金部５６の紙幣入金口５２への現金の投入を可能とする。その後、紙幣入金口５２に入金紙幣が投入されたことが入金口紙幣センサ５４により検出されると、制御部９１は、紙幣入金口開閉駆動機構５５により紙幣入金口シャッタ５３を閉じて、紙幣入金部５６を待機状態に戻し、紙幣入出金装置部６８に紙幣の入金処理を行わせる。
【００８５】
他方、上記した入金貨幣の投入推進の通知後、窓口操作機１１Ａの第１操作機識別情報と対応しない第２装着部材識別情報をＲＦＩＤリーダ８３が読み込んだ場合（第１装着部材識別情報と第２装着部材識別情報との同時読み込みの場合も含む）に、制御部９１は、紙幣入金口シャッタ５３を閉状態に維持して、紙幣入金口５２への現金の投入を不可とする。それとともに、制御部９１は、第２装着部材識別情報が記憶されたＲＦＩＤインレット７２を有する装着部材７１Ｂに、ランプ７３の警報点滅とバイブレータ７４の警報振動とブザー７５の警報音発生とを実行させ、窓口操作機１１Ａ，１１Ｂの表示部１６，１６に投入間違い発生の警報表示を表示させる。制御部９１は、その後、第２装着部材識別情報をＲＦＩＤリーダ８３が読み込まなくなると、装着部材７１Ｂについての、ランプ７３の警報点滅、バイブレータ７４の警報振動およびブザー７５の警報音発生と、表示部１６，１６の投入間違い発生の警報表示とを終了させる。
【００８６】
上記した入金貨幣の投入推進の通知後、所定時間内に、ＲＦＩＤリーダ８３が、当該入力指示を出力した窓口操作機１１Ａの第１操作機識別情報と対応する第１装着部材識別情報を読み込んでいないことを、前記所定時間経過時点で確認すると、制御部９１は、当該入金指示を出力した窓口操作機１１Ａと対応する装着部材７１Ａに、ランプ７３の警報点滅、バイブレータ７４の警報振動およびブザー７５の警報音発生を実行させ、窓口操作機１１Ａの表示部１６に投入忘れ発生の警報表示を表示させる。制御部９１は、その後、第１装着部材識別情報をＲＦＩＤリーダ８３が読み込むと、装着部材７１Ａについての、ランプ７３の警報点滅、バイブレータ７４の警報振動およびブザー７５の警報音発生と、表示部１６の発生の警報表示とを終了させる。
【００８７】
ここで、ＲＦＩＤリーダ８１〜８４のうちの少なくともいずれか一つは、通信範囲を変更可能であり、制御部９１は、現金処理機１２が出金処理や入金処理等を実行していない状態で、このＲＦＩＤリーダの通信範囲を所定の時間間隔で上記よりも広くして装着部材７１Ａ，７１Ｂと通信可能であるかを確認する確認処理を行う。この通信範囲は、例えば、現金処理機１２が設置された部屋の全体である。そして、このＲＦＩＤリーダが、所定の時間間隔で実行される複数回の確認処理によって装着部材７１Ａ，７１ＢのＲＦＩＤインレット７２，７２の少なくともいずれか一方と連続して通信不可である場合、つまり、所定時間継続して通信不可である場合に、装着部材７１Ａ，７１Ｂの通信不可であるものに対応する窓口操作機１１Ａ，１１Ｂの表示部１６，１６に装着部材と通信できない状態にある旨の警報表示を表示させる。
【００８８】
以上に述べた本実施形態の現金処理システム１０によれば、２台の窓口操作機１１Ａ，１１Ｂのうちの一方からの出金指示に基づいて現金処理機１２が出金処理を行うと、当該出金指示を出力した一方の窓口操作機の表示部１６と、装着部材７１Ａ，７１Ｂのうちの当該出金指示を出力した一方と対応する装着部材とが、当該出金指示を出力した窓口操作機と対応する一方の窓口操作員に出金貨幣の受け取り推進を通知する。すると、基本的にはこの一方の窓口操作員が、出金部４５，６５の対応する少なくとも一方から出金貨幣を取り出そうとして、出金部４５，６５の対応する少なくとも一方に手を伸ばし、その結果、この一方の窓口操作員の手首に装着された装着部材が出金部４５，６５の対応する少なくとも一方に近づくことになる。その際に、現金処理機１２に設けられたＲＦＩＤリーダ８２，８４の対応する少なくとも一方が、装着部材と通信することにより、出金部４５，６５の対応する少なくとも一方から出金貨幣を取り出そうとしている窓口操作員に装着された出金アクセス装着部材の装着部材識別情報を判別する。そして、制御部９１は、当該出金指示を出力した窓口操作機の操作機識別情報と、ＲＦＩＤリーダ８２，８４が判別した出金アクセス装着部材の装着部材識別情報とが対応する場合に、出金部４５，６５の対応する少なくとも一方から現金を取り出し可能とする。これにより、左右２名の窓口操作員Ａ，Ｂによる出金部４５，６５からの現金の取り間違いの可能性を低減することができる。生体認証装置を用いる必要がないため、窓口操作員への負担を低減でき、管理コストの増大を抑制することができる。
【００８９】
また、窓口操作員Ａ，Ｂの手首に装着される装着部材７１Ａ，７１Ｂに窓口操作員Ａ，Ｂに通知を行うランプ７３、バイブレータ７４およびブザー７５が設けられているため、出金貨幣の受け取り推進の通知の窓口操作員Ａ，Ｂによる誤認の発生を抑制することができる。また、装着部材７１Ａ，７１Ｂが装着部材識別情報を記憶する手段と窓口操作員に通知する手段とを兼用することになるため、コストを低減することができる。
【００９０】
また、ＲＦＩＤリーダ８２，８４は、装着部材７１Ａ，７１Ｂとの距離が所定値以内になると装着部材７１Ａ，７１Ｂに記憶された装着部材識別情報を出金アクセス装着部材の装着部材識別情報とすることから、出金アクセス装着部材の装着部材識別情報を簡単かつ良好に判別できる。
【００９１】
また、制御部９１は、窓口操作機１１Ａ，１１Ｂのうちの出金指示を出力した窓口操作機と対応する一方の窓口操作員にランプ７３、バイブレータ７４および表示部１６により出金貨幣の受け取り推進を通知した後、ＲＦＩＤリーダ８２，８４が、当該出金指示を出力した窓口操作機の操作機識別情報と対応しない装着部材識別情報を、出金アクセス装着部材の装着部材識別情報と判別した場合に、ランプ７３、バイブレータ７４、ブザー７５および表示部１６により警報を発生させる。よって、出金指示を出力した窓口操作機と左右が一致しない他方の窓口操作員がアクセスしようとした場合に、間違いであることを報知できる。
【００９２】
また、制御部９１は、窓口操作機１１Ａ，１１Ｂのうちの出金指示を出力した窓口操作機と対応する一方の窓口操作員にランプ７３、バイブレータ７４および表示部１６により出金貨幣の受け取り推進を通知した後、所定時間内に、ＲＦＩＤリーダ８２，８４が、当該出金指示を出力した窓口操作機の操作機識別情報と対応する装着部材識別情報を、出金アクセス装着部材の装着部材識別情報と判別できない場合に、ランプ７３、バイブレータ７４、ブザー７５および表示部１６により警報を発生させる。よって、出金貨幣の取り忘れを抑制できる。
【００９３】
また、制御部９１は、ＲＦＩＤリーダ８２，８４が、装着部材７１Ａ，７１Ｂのうちの少なくともいずれか一方の装着部材と所定時間継続して通信不可である場合に、ランプ７３、バイブレータ７４、ブザー７５および表示部１６により警報を発生させるため、装着部材の有効性を確認できる。
【００９４】
また、２台の窓口操作機１１Ａ，１１Ｂのうちの一方からの入金指示に基づいて現金処理機１２が入金処理を行うと、当該入金指示を出力した一方の窓口操作機の表示部１６と、当該入金指示を出力した一方の窓口操作機と対応する装着部材とが、当該入金指示を出力した窓口操作機と対応する一方の窓口操作員に入金貨幣の投入推進を通知する。すると、基本的にはこの一方の窓口操作員が、入金部３６，５６に入金貨幣を投入しようとして、入金部３６，５６の対応する少なくとも一方に手を伸ばし、その結果、この一方の窓口操作員の手首に装着された装着部材が入金部３６，５６の対応する少なくとも一方に近づくことになる。その際に、現金処理機１２に設けられたＲＦＩＤリーダ８１，８３は、装着部材と通信することにより入金部３６，５６に入金貨幣を投入しようとしている入金アクセス装着部材の装着部材識別情報を判別する。そして、制御部９１は、入金指示を出力した窓口操作機の操作機識別情報と、ＲＦＩＤリーダ８１，８３が判別した入金アクセス装着部材の装着部材識別情報とが対応する場合に、入金部３６，５６の対応する少なくとも一方へ現金を投入可能とする。これにより、左右２名の窓口操作員Ａ，Ｂによる入金部３６，５６への現金の投入間違いの可能性を低減することができる。生体認証装置を用いる必要がないため、窓口操作員への負担を低減でき、管理コストの増大を抑制することができる。
【符号の説明】
【００９５】
１０  現金処理システム
１１Ａ，１１Ｂ  窓口操作機
１２  現金処理機
１６  表示部（通知手段，警報手段）
３６  硬貨入金部（入金部）
４５  硬貨出金部（出金部）
５６  紙幣入金部（入金部）
６５  紙幣出金部（出金部）
７１Ａ，７１Ｂ  装着部材
７３  ランプ（通知手段，警報手段）
７４  バイブレータ（通知手段，警報手段）
７５  ブザー（通知手段，警報手段）
８１〜８４  ＲＦＩＤリーダ（判別手段）
９１  制御部（判別手段，制御手段）
Ａ，Ｂ  窓口操作員
【図１】
2016009294.tif 000003
【図２】
2016009294.tif 000004
【図３】
2016009294.tif 000005
【図４】
2016009294.tif 000006